(57)【特許請求の範囲】
【請求項１】
Ｆｅ，Ｍｎを含有する地下水等の被処理水を接触曝気槽に移し、該槽内に装填したプラスチック製の充填材間へ外気を強制的に吹込んで被処理水を接触酸化して１次処理した後のち、上記接触曝気槽からオーバーフローした１次処理水を、
槽内の対向する側壁内面間に複数枚の仕切板を、各々一側の端部は内壁面に接続し他側の端部は内壁面との間に隙間を設け、且つ当該隙間を設けた端部の位置が隣接する仕切板同士で互いに反対側となるように立て並べるとともに各仕切板間にプラスチック製の充填材を装填してなるジグザグ状に蛇行した迂流路を内部に備えていて当該迂流路に上流から下流に亙り下り勾配が設けられてなる自然流下水槽へ移送し、
該自然流下水槽内の迂流路に装填した充填材間を１次処理水が自然流下する間に、更に接触酸化及び固液分離して２次処理することを特徴とする水質浄化処理方法。
【請求項２】
Ｆｅ，Ｍｎを含有する地下水等の被処理水を貯留する貯水槽と、該貯水槽から移送した被処理水に外気を強制的に吹込む曝気域とプラスチック製の充填材が装填されてなる充填材域を併設して構成された接触曝気槽と、
該接触曝気槽からオーバーフローした１次処理水を２次処理する水槽であって、槽内の対向する側壁内面間に複数枚の仕切板を、各々一側の端部は内壁面に接続し他側の端部は内壁面との間に隙間を設け、且つ当該隙間を設けた端部の位置が隣接する仕切板同士で互いに反対側となるように立て並べるとともに各仕切板間にプラスチック製の充填材を装填してなるジグザグ状に蛇行した迂流路を内部に備えていて当該迂流路に上流から下流に亙り下り勾配が設けられてなる自然流下水槽と
を順次直列に配設してなる水質浄化処理装置。
【発明の詳細な説明】
【０００１】
【発明の属する技術分野】
本発明は水質浄化処理方法及びその装置に係り、特に、Ｆｅ，Ｍｎを含有する地下水等を、薬剤処理することなく、工業用水、雑用水、飲料用水等として好適な水質まで浄化処理する方法、並びに、該水質浄化処理方法で用いられる水質浄化処理装置に関するものである。
【０００２】
【従来技術とその課題】
従来、地下水等に含まれるＦｅ（鉄），Ｍｎ（マンガン）は、水道配管等の内壁に付着してスケール障害の原因となっているので、これを予め除去することは重要な課題である。
そこで、このＦｅ，Ｍｎを除去して水質を浄化処理する方法としては、地下水等に次亜塩素酸ソーダ等の酸化剤を添加してＦｅ，Ｍｎを酸化物として析出させ、その析出物を濾過装置により濾別して浄化処理することが行なわれていたが、この酸化剤による浄化処理方法ではランニングコストが高く、処理工程の維持管理が難しいと共に、二次公害の心配が付き纏うと云う問題があった。
【０００３】
【課題を解決するための手段】
本発明は上記課題を解決するためのものであって、その要旨は、Ｆｅ，Ｍｎを含有する地下水等の被処理水を接触曝気槽に移し、該槽内に装填したプラスチック製の充填材間へ外気を強制的に吹込んで被処理水を接触酸化して１次処理した後のち、上記接触曝気槽からオーバーフローした１次処理水を、槽内の対向する側壁内面間に複数枚の仕切板を、各々一側の端部は内壁面に接続し他側の端部は内壁面との間に隙間を設け、且つ当該隙間を設けた端部の位置が隣接する仕切板同士で互いに反対側となるように立て並べるとともに各仕切板間にプラスチック製の充填材を装填してなるジグザグ状に蛇行した迂流路を内部に備えていて当該迂流路に上流から下流に亙り下り勾配が設けられてなる自然流下水槽へ移送し、該自然流下水槽内の迂流路に装填した充填材間を１次処理水が自然流下する間に、更に接触酸化及び固液分離して２次処理することを特徴とする水質浄化処理方法であり、また、該水質浄化処理方法において用いられる貯水槽、接触曝気槽、自然流下水槽等を順次直列に配設してなる水質浄化処理装置である。
【０００４】
【発明の実施の形態】
以下、本発明を図面に基づき具体的に説明する。
図１は本発明で用いる水質浄化処理装置を一部切欠斜視図で示す。
本発明は、Ｆｅ，Ｍｎを含有する地下水等の被処理水ａを接触曝気槽１に移送し、該槽１内に装填した充填材１１１間へ外気ｂを強制的に吹込んで被処理水ａを接触酸化して１次処理したのち、上記接触曝気槽１からオーバーフローした１次処理水ｃを自然流下水槽２へ移送し、該自然流下水槽２内の迂流路２１に装填した充填材２１２間を１次処理水ａが自然流下する間に、更に、接触酸化及び固液分離して２次処理水ｄを得ることを特徴とする水質浄化処理方法であり、また、該水質浄化処理方法において用いられる貯水槽３、接触曝気槽１、自然流下水槽２等を順次直列に配設してなる水質浄化処理装置である。
【０００５】
なお、上記接触曝気槽１及び自然流下水槽２内に装填される充填材１１１，２１２は、プラスチック製の波型板状体、紐状体、円筒状体、網状体、砕石状体等の形態のものが好適に用いられる。
【０００６】
本発明により、接触曝気槽１内の充填材１１１に生成付着している微生物膜により、被処理水ａを接触酸化して１次処理を行なったのち、残存しているＦｅ，Ｍｎを自然流下水槽２内で酸化処理することが出来るので、薬剤を一切使用することなく被処理水ａ中のＦｅ，Ｍｎを確実に除去することが出来ると共に、二次公害の心配がなく、しかも、処理工程や浄化装置の維持管理が容易化されるものである。
【０００７】
【実施例】
本発明で用いる水質浄化処理装置は、図１に斜視図で示す如く、Ｆｅ，Ｍｎを含有する地下水等の被処理水ａを一旦貯溜するための貯水槽３と、該貯水槽３からポンプＰ、送水管３１を介して連設される接触曝気槽１と、該接触曝気槽１からオーバーフロー管１２３を介して連設される自然流下水槽２と、該自然流下水槽２から送水管２１３を介して連設される処理水槽４等の各槽を順次直列に配設してなるものである。
【０００８】
上記接触曝気槽１は、槽内の一部にブロアＢから曝気管１２１を通して吹出ノズル１２２に至る曝気域１２を形成すると共に、該曝気域１２に隣接して充填材１１１を重層装填してなる充填材域１１が設けられており、上記曝気域１２により、貯水槽３から移送された被処理水ａに外気を吹込んで酸素リッチな状態にすると共に、吹出ノズル１２２から吹出し上昇する気泡により、上記充填材域１１に矢印方向の循環流を起し、充填材１１１表面に生成付着している微生物膜に被処理水ａを強制的に接触させることによって、水中に含まれるＦｅ，Ｍｎの化学的酸化並びに生物化学的酸化が同時に進行して一次処理することが出来る。
【０００９】
そして、上記接触曝気槽１からオーバーフロー管１２３を介して連設される自然流下水槽２は、槽内を仕切板２１１により仕切って矢印方向に折曲するジグザグ状の迂流路２１を形成してある。すなわち、図１に示されるように、自然流下水槽２は、槽内の対向する側壁内面間に複数枚の仕切板２１１を、各々一側の端部は内壁面に接続し他側の端部は内壁面との間に隙間を設け、且つ当該隙間を設けた端部の位置が隣接する仕切板２１１同士で互いに反対側となるように立て並べてなる蛇行した迂流路２１を内部に備えている。該迂流路２１には上流から下流に亙り緩かな下り勾配を設けると共に、該迂流路２１内には迂回折曲部を除き充填材２１２が装填されている。上記接触曝気槽１内で接触酸化を受けた一時処理水ｃは、上記自然流下水槽２の最上流部へ移送され、ヘッド差で流下する間に充填材２１２面上の微生物膜と接触して、水中に残存しているＦｅ，Ｍｎの酸化処理、即ち、二次処理が行われると同時に、迂流路２１の底部に酸化物が沈積除去されるようになっている。
【００１０】
上記自然流下水槽２から送水管２１３を介して連設される処理水槽４は、自然流下水槽２で酸化処理された二次処理水ｄを、工業用水、雑用水、飲料用水など用水として配水するためにプールするものである。
【００１１】
以下、本発明の実施例を更に具体的に説明する。
即ち、貯水槽３からポンプＰで被処理水ａ（地下水）を揚水し、送水管３１を通して容量５ｍ3 の接触曝気槽１へ８０ｍ3 ／日相当量を送水し、該接触曝気槽１内の充填材１１１の容量が２ｍ3 の充填材域１１に、ブロアＢ、曝気管１２１を通して吹出ノズル１２２から風量３００Ｌ／分の導入外気ｂを吹き出させて被処理水ａを曝気し一次処理した。
しかるのち、上記一次処理水ｃをオーバーフロー管１２３から容量３．１ｍ3 の自然流下水槽２に移送し、該自然流下水槽２内において、容量２．７ｍ3 の充填材２１２が装填された流路長５４ｍの迂流路２１に一次処理水ｃを緩かに流下させて二次処理し、二次処理水ｄを処理水槽４にプールした。
【００１２】
上記水質浄化処理装置を用い順致運転して２ケ月経過した後に、試料５点を採取してＦｅ，Ｍｎの除去性能についてテストした結果、下記表１の結果を得た。
【００１３】
【表１】
0003768570.tif 000002
【００１４】
上記表１の如く、本発明の水質浄化処理装置を用いた水質浄化処理方法により、地下水中に含まれていたＦｅは１／３以下に減少すると共に、Ｍｎは１／５〜６以下に減少していることが確認された。
【００１５】
【発明の効果】
本発明は上記構成よりなるので下記効果を奏する。
即ち、本発明により、化学的酸化と生物化学的酸化を同時に行なうことが出来るので、被処理水中のＦｅ，Ｍｎを確実に除去出来ると共に除去性能が安定し、また、薬剤を使用しないのでランニングコストが安いと共に二次公害の心配がなく、しかも、処理工程や浄化処理装置の維持管理もきわめて容易である。
【図面の簡単な説明】
【図１】本発明で用いる水質浄化装置を一部切欠斜視図で示す。
【符号の説明】
１      接触曝気槽
１１    充填材域
１１１  充填材
１２    曝気域
１２１  曝気管
１２２  吹出ノズル
１２３  オーバーフロー管
２      自然流下水槽
２１    迂流路
２１１  仕切板
２１２  充填材
２１３  送水管
３      貯水槽
３１    送水管
４      処理水槽
ａ      被処理水
ｂ      外気
ｃ      一次処理水
ｄ      二次処理水
Ｂ      ブロア
Ｐ      ポンプ
【図１】
0003768570.tif 000003